(57)【要約】  2つの異なる円筒形状を有するタイプの歯ブラシおよび歯磨きチューブ用ホルダーであり、その片側が歯磨きチューブを保管できる通常のカップ形状をしていると同時に、その他側の円筒形状には大きなテーパー角がついており、底部に行くに従って径が小さくなっており、その底部は開放状態になっているが、8本の歯ブラシを重力によって自動的に衛生的な位置に保持し得る8つの仕切板を備えた円錐形状のポストを設けるものとする。
2008500840.tif 000002
【特許請求の範囲】
【請求項１】
片側が歯磨きチューブを保管できる通常のキャップ形状であると同時に、他側はより大きなテーパー角を有し、底部に行くに従って径が小さくなっており、その底部が開放状態になっている円筒形状であり、最大で8本までの歯ブラシを、それ自体の重力によって自動的に外側へわずかに傾いた位置に保持することができる8つの仕切板を備えた円錐形状のポスト4を有する2つの異なる円筒形状を具備する歯ブラシおよび歯磨きチューブ用ホルダー・ユニット。
【請求項２】
歯ブラシおよび歯磨きチューブ用ホルダーであって、図8に図解のようにユーテンシル・ホルダーに変換して利用することができるような請求項1に記載の歯ブラシおよび歯磨きチューブ用ホルダー・ユニット。
【請求項３】
当該の8つの仕切板の数が必要な間仕切り部(コンパートメント)の数に応じて調節することができるような、請求項1に記載の歯ブラシおよび歯磨きチューブ用ホルダー・ユニット。
【請求項４】
請求項1に記載の歯ブラシおよび歯磨きチューブ用ホルダー・ユニットであって、図9で図解のように壁または平テーブル取付用のホルダーのいずれにも使用できる2つの吸盤を側面に具備するか、または両面ステッカーを底部に具備する(その逆の場合もまた同様)歯ブラシおよび歯磨きチューブ用ホルダー・ユニット。
【発明の詳細な説明】
【技術分野】
【０００１】
本発明は、歯ブラシおよび歯磨きチューブ用ホルダーに関するものであり、具体的には、歯磨きチューブと共に一本以上の歯ブラシを自動的に衛生的で使いやすい位置に保持して保管できるホルダーに関するものである。
【背景技術】
【０００２】
歯ブラシおよび歯磨きチューブ用ホルダーの技術的な背景をまとめると、歯ブラシと歯磨きチューブを共に保管するために、環状、四角形または三角のカップ状など多くの異なる形状の容器が開発されており、無頓着かつルーズに使用されていることは公知であるが、歯ブラシを介して肝炎のような疾病が伝染し得るという衛生上の懸念のため、歯ブラシを個別の間仕切り部（コンパートメント）に保持し、他の歯ブラシを妨げることなく取り出すことができるような複雑な構造の容器が開発されており、その上、米国特許番号第６２８６３１９０号では一本以上の歯ブラシを保持し、歯ブラシに付着する病原菌を殺すために歯ブラシを処理する紫外線照射光装置を備えた歯ブラシ用ホルダーが開示および特許請求されているという事実を挙げることができる。但し、そのほとんどの場合、新規に開発された歯ブラシおよび歯磨きチューブ用ホルダーは複雑な構造を有することから免れることができず、該ホルダーを最終的には壁に取り付けるような結果となり、加えて、電動式ホルダーの場合（紫外線装置を備えたホルダー）には電力を供給するための配線も必要である。とりわけ、新規に開発されたホルダーの使いやすさは従来のカップ形状ホルダーと比較して劣っている。
【発明の開示】
【発明が解決しようとする課題】
【０００３】
技術的問題は、歯ブラシおよび歯磨きチューブの挿入／取り出し時の取り扱いが従来のカップ形状ホルダーと比較して等しく容易であると同時に、衛生面の理由から他の歯ブラシを妨げることなしに歯ブラシ保管できる歯ブラシおよび歯磨きチューブ用ホルダーを開発することである。
【課題を解決するための手段】
【０００４】
本発明では、1本の（大きさによっては一本以上であり得る）歯磨きチューブが片側にあり、１本または最大で8本までの歯ブラシが他側に保管することができ、円錐形状のポストに備わる8つの仕切板によって作り出された8つの間仕切り部（コンパートメント）をその中央に有する2つの異なる円筒形状からなる消毒歯ブラシおよび歯磨きチューブ用ホルダーを開示する。
【発明の効果】
【０００５】
本発明に係る、１本以上の歯磨きチューブと共に１本または最大で8本までの歯ブラシを保持するための歯ブラシおよび歯磨きチューブ用ホルダーでは、歯ブラシおよび歯磨きチューブは互いに妨げられることがないので衛生的な位置に保持することができる。ホルダーの構造には、プラスチック射出成型による一体成型加工法を適用することが可能なので、弾性材料または類似の材料を用いてホルダーをコスト効率の高い方法で作成することができる。
【発明を実施するための最良の形態】
【０００６】
歯ブラシおよび歯磨きチューブ用ホルダーの例示的実施形態は、ユニットが2つの異なる円筒形状からなっており、その容器の片側1は、１本の歯磨きチューブを(余分なスペースがある場合には櫛やブラシのような他の美容雑貨と共に)保持することを目的としてわずかにテーパーのついたカップ形状とする。容器の他側2では、底部に行くに従って径が急激に小さくなっており、その底部は開放状態になっているが、重力によって自動的にわずか外側に傾いている１本から最大で8本までの歯ブラシを保持し得る8つの羽根型仕切板3を備えた円錐形状のポスト4を設けるものとする。歯ブラシ同士が互いに妨げれられることがないので、最終的には最大で8本までの歯ブラシを衛生的に保管できるようなホルダーとなる。
【０００７】
本発明の好ましい実施例の動作モードと性質を添付図面を参照して、以下の詳細な記述においてより完全に説明する。 
図1は2つの異なる円筒形状を示す完成品の上部に焦点を合わせた容器の斜視図である。さらに図3および図4を見ると、容器の片側1はわずか傾いた円形キャップのように思える。容器の他側2では、上部外周が底部外周よりはるかに大きいため、大きく傾斜した状態となる。他側2は、開いた中央部において円錐形状のポスト4に取り付けた8つの羽根型の仕切板3から構成する。さらに理解を深めるため、図2には、8つの羽根型の間仕切り部3を備えた円錐形状のポスト4の立体描写を示すが、これらはプラスチック射出成型によって一体成型加工する容器の一部である。
【０００８】
図7は、歯ブラシおよび歯磨きチューブが実際に容器に保管されている状態を示す完成品である。8本の歯ブラシは、それ自体の重力によって外側に傾いた状態になっている。この重力により、歯ブラシの本体および毛が互いに接触しないようなっている。しかも、容器の底部が開いているため、歯ブラシ上の湿気は容器の底部から放出され、歯ブラシをより衛生的に保つことができる。
【０００９】
図8は、本発明をユーテンシル・ホルダーとして利用した場合の完成品である。 写真で示したように、のり、定規およびはさみのような用具(ユーテンシル) は容器の片側1に保管することができ、そして他側2には鉛筆またはシャープペンを保持することができ、鉛筆の芯が図3および図4に示した上げ底および小ギャップによって折れることはない。
【００１０】
図9は、2つの吸盤8が前面5上の雪だるま形の穴7に、そして両面ステッカー9が底部6にそれぞれ取り付けられた完成品であり、この図により、取付表面にもよるが、吸盤8または両面ステッカー9を用いて、本ホルダーを壁または平テーブルに容易に取り付けられることを示した。
【図面の簡単な説明】
【００１１】
【図１】歯ブラシおよび歯磨きチューブ用ホルダー斜視図（鳥瞰図）である。
【図２】８つの仕切板を有する円錐形状のポストを備えたホルダー本体を示す分解図である。
【図３】ホルダーの平面図である。
【図４】図３の切断線１−１に沿った断面図である。
【図５】ホルダーの正面図（立面図）である。
【図６】ホルダーの下面図である。
【図７】８本の歯ブラシと１本の歯磨きチューブを保持するホルダーの斜視図であり、重力によってわずか外側に傾いている。
【図８】８本の鉛筆（またはボールペン）を保持するホルダーの斜視図であり、重力によってわずか外側に傾いている。
【図９】前面および底部領域に焦点を合わせた斜視図であり、前面に２つの吸盤を備え、底部には両面ステッカーを備えたホルダを示している。
【図１】
2008500840.tif 000003
【図２】
2008500840.tif 000004
【図３】
2008500840.tif 000005
【図４】
2008500840.tif 000006
【図５】
2008500840.tif 000007
【図６】
2008500840.tif 000008
【図７】
2008500840.tif 000009
【図８】
2008500840.tif 000010
【図９】
2008500840.tif 000011
【国際調査報告】
2008500840.tif 000012
2008500840.tif 000013